(57)【要約】【課題】  多原色を用いた画像表示により色再現範囲を拡大するうえで、高色再現範囲と高輝度とを実現しつつドライバ数の増加及び開口率の減少を抑制し、しかも視覚上の弊害を軽減することができる表示装置及びそれにより構成されてなる液晶表示装置を提供する。【解決手段】  ｎ色（ｎは、３以上の整数を表す。）の原色を用いてサブピクセルを含む画素により画像が構成される表示装置であって、上記表示装置は、１画素あたりｎ個未満の割合となるトランジスタにてサブピクセルを駆動する表示装置である。【選択図】    図１
2006064993.tif 000002
【特許請求の範囲】
【請求項１】
ｎ色（ｎは、３以上の整数を表す。）の原色を用いてサブピクセルを含む画素により画像が構成される表示装置であって、
該表示装置は、１画素あたりｎ個未満の割合となるトランジスタにてサブピクセルを駆動することを特徴とする表示装置。
【請求項２】
前記表示装置は、４色以上の原色を用いてサブピクセルを含む画素により画像が構成されることを特徴とする請求項１に記載の表示装置。
【請求項３】
前記表示装置は、１画素あたり（ｎ−１）個以下の割合となるトランジスタにてサブピクセルを駆動することを特徴とする請求項１に記載の表示装置。
【請求項４】
前記表示装置を構成する画素は、１画素あたり（ｎ−１）色以下のサブピクセルを含んで構成され、２色以上のサブピクセルが複数の画素に１個の割合で配置されたものであることを特徴とする請求項１に記載の表示装置。
【請求項５】
前記表示装置を構成する画素は、１画素あたりｎ色のサブピクセルを含んで構成され、少なくとも1色のサブピクセルが他の画素に配置された同色のサブピクセルと共通のトランジスタにて駆動されることを特徴とする請求項１に記載の表示装置。
【請求項６】
前記表示装置を構成する画素は、１画素あたりｎ色のサブピクセルを含んで構成され、少なくとも1色のサブピクセルが２つ以上の画素にわたって配置されることを特徴とする請求項１に記載の表示装置。
【請求項７】
前記画素を構成するサブピクセルは、ストライプ状に配置されたものであることを特徴とする請求項１に記載の表示装置。
【請求項８】
前記表示装置は、ｎ色のカラーフィルター又は発光素子によりサブピクセルが構成されるものであることを特徴とする請求項１に記載の表示装置。
【請求項９】
ｎ色（ｎは、３以上の整数を表す。）の原色を用いてサブピクセルを含む画素により画像が構成される液晶表示装置であって、
該液晶表示装置は、請求項１〜８のいずれか一項に記載の表示装置におけるサブピクセルの駆動方式を有するものであることを特徴とする液晶表示装置。
【発明の詳細な説明】
【技術分野】
【０００１】
本発明は、複数の画素により表示画面が構成される表示装置及び液晶表示装置に関する。より詳しくは、多原色により画像を構成することにより、液晶ディスプレイ、ＰＤＰ（Plasma Display Panel）、有機ＥＬ（Electroluminescent）、ＦＥＤ（Field Emission Display）等の各種のディスプレイに適用することができる多原色表示装置に関するものである。
【背景技術】
【０００２】
表示装置としては、画素（ピクセル）により画像を形成する各種のディスプレイが情報や映像の表示手段として広く普及しているが、例えば、図８に示されるように、１つの画素が赤（Ｒ）、緑（Ｇ）及び青（Ｂ）からなる３原色のサブピクセルによって構成され、これによりカラー表示するものが一般的である。このような従来のカラー表示の技術においては、微妙な色合いに対して自然な発色を提供することが難しく、色再現範囲が狭いことから、近年では表示品位を向上するために色再現範囲を拡大することが検討されている。例えば、ＲＧＢの３原色の色純度を濃くすると、色度図において色再現範囲が拡張されることになるが、この場合、色が濃くなることに起因して輝度が低下することになる。
【０００３】
そこで、サブピクセル数を増やして多原色化し、色の数を４色、５色、６色等と増加させることで、液晶ディスプレイ等の色再現範囲を拡大する方法が提案されている。例えば、従来の表示装置における色再現範囲の拡大に関連した技術に関し、光を透過する波長が波長スペクトル上で実質的に等間隔に位置するように決定された複数の色に対応する色領域を有する着色フィルタ層を備えたカラーフィルタが開示されている（例えば、特許文献１参照。）。また、Ｒ、Ｇ、Ｂ、Ｙ、Ｍ、Ｃの６原色を用いた液晶表示装置における画素の駆動方法として、Ｙ、Ｍ、Ｃの各サブフィールドにおけるＲ、Ｇ、Ｂ光源の輝度配分と、抽出された無彩色成分の各サブフィールドへの輝度配分を適切に実施する方法が開示されている（例えば、特許文献２参照。）。
【０００４】
しかしながら、これらの表示装置では、色再現範囲や輝度の点において有利な設計が可能となるが、色の増加とともにサブピクセルのサイズが小さくなり、ソースバスラインの数が増加し、開口率が大幅に低下してしまうことになる。例えば、ＲＧＢの３色から５色に増加することによって表示装置の輝度を低下させること無く、色再現範囲が拡張するが、表示品位に影響する開口率は１５％程度低下することになる。液晶ディスプレイ等の表示装置においては、開口率は表示品位における重要な基本性能の一つであり、これを向上することが求められている。また、画素を構成するサブピクセルの数の増加にともなって、各サブピクセルを駆動するためのドライバ数が増加してしまうことになる。したがって、色再現範囲の拡張を実現しながら開口率の低下を充分に抑制しつつ、ドライバ数の増加も抑制することができるカラー表示装置を提供するための工夫の余地があった。
【特許文献１】特開２００２−２８６９２７号公報（第２、５頁）
【特許文献２】特開２００３−２８０６１４号公報（第２、３頁）
【発明の開示】
【発明が解決しようとする課題】
【０００５】
本発明は、上記現状に鑑みてなされたものであり、表示装置における開口率の低下を充分に抑制し、しかもドライバ数の増加を抑制することができ、特に多原色を用いた画像表示により色再現範囲を拡大するうえで優れた基本性能を発揮することができる表示装置及びそれにより構成されてなる液晶表示装置を提供することを目的とするものである。
【課題を解決するための手段】
【０００６】
本発明者らは、表示装置の画素の構成について、特に色再現範囲を拡大することができる表示装置の開口率やドライバ数について種々検討したところ、サブピクセルを駆動するトランジスタ数を原色数（ｎ）よりも少なくし、１画素あたりｎ個未満の割合となるトランジスタにてサブピクセルを駆動する形態とすると、ソースバスラインの本数やトランジスタの数を削減することができることに起因して、開口率を大きくすることができ、また、ドライバ数の増加が抑制された表示装置を実現することができることを見いだした。そして、１つの画素を構成するサブピクセル数を増やして多原色化し、４色又はそれ以上とした多原色表示装置が色再現範囲を拡大するとともに高輝度を実現するために有効であることに着目し、１画素あたりのトランジスタ数を減らした形態を多原色表示装置に適用すると、色再現範囲を拡大しつつ開口率やドライバ数において表示装置としての基本性能に優れたものとなることを見いだし、上記課題をみごとに解決することができることに想到し、本発明に到達したものである。
【０００７】
すなわち、本発明は、ｎ色（ｎは、３以上の整数を表す。）の原色を用いてサブピクセルを含む画素により画像が構成される表示装置であって、上記表示装置は、１画素あたりｎ個未満の割合となるトランジスタにてサブピクセルを駆動する表示装置である。
このような表示装置においては、４色以上の原色を用いてサブピクセルを含む画素により画像が構成されることが好適であり、例えば、ＲＧＢに更に他の色を加えることにより４色以上の原色を用いて画素を構成する形態とすると、色再現範囲の拡張を実現しながらも開口率の低下を充分に抑制しつつ、ドライバ数の増加も抑制することを可能にするという本発明の作用効果をより充分に発揮することができる。また、上記表示装置は、１画素あたり（ｎ−１）個以下の割合となるトランジスタにてサブピクセルを駆動する形態とすることが好ましい。
【０００８】
上記表示装置の好ましい形態としては、（１）上記表示装置を構成する画素が、１画素あたり（ｎ−１）色以下のサブピクセルを含んで構成され、２色以上のサブピクセルが複数の画素に１個の割合で配置されたものである形態が挙げられる。このように原色数よりもサブピクセルの分割数を少なくすることにより、１画素あたりのソースバスラインの本数及びトランジスタの数を削減することができ、ドライバ数の増加及び開口率の減少を抑制することが可能となる。
【０００９】
また（２）上記表示装置を構成する画素が、１画素あたりｎ色のサブピクセルを含んで構成され、少なくとも1色のサブピクセルが他の画素に配置された同色のサブピクセルと共通のトランジスタにて駆動される形態とすることもできる。更に、（３）上記表示装置を構成する画素が、１画素あたりｎ色のサブピクセルを含んで構成され、少なくとも1色のサブピクセルが２つ以上の画素にわたって配置される形態としてもよい。
これらの場合、他の画素に配置された同色のサブピクセルと共通のトランジスタにて駆動されるサブピクセル、又は、２つ以上の画素にわたって配置されるサブピクセルは、２色以上のサブピクセルであることが好ましい。
【００１０】
これらの形態の表示装置において、上記（１）の場合に複数の画素に１個の割合で配置される２色以上のサブピクセルの組み合わせ、上記（２）及び（３）の場合にトランジスタの数を実質的に減らして駆動することになる２色以上のサブピクセルの組み合わせとしては、ｎ色のうち色差が最も小さい組み合わせであることが好ましい。このように色差に着目してサブピクセルを選択することにより、より表示品位に優れた表示装置とすることができる。
【００１１】
上記サブピクセルの配列方法としては、ストライプ配列とマトリクス配列等があるが、実際に液晶テレビ等に採用する場合には駆動周波数を低下させる意味からストライプ配列が好適である。すなわち上記画素を構成するサブピクセルは、ストライプ状に配置されたものであることが好ましい。
【００１２】
上記表示装置は、ｎ色の原色を用いてサブピクセルを含む画素により画像が構成されるものである限り特に限定されるものではないが、ｎ色のカラーフィルター又は発光素子によりサブピクセルが構成されるものであることが好適である。このような表示装置としては、例えば、ｎ色のカラーフィルター層を備えたカラーフィルター基板を有するカラー液晶ディスプレイ等が挙げられる。
【００１３】
上記サブピクセルの駆動方式を有する液晶表示装置は、色再現範囲を拡張しつつ、輝度や表示品位において優れた基本性能を有することになり、液晶ディスプレイとして液晶テレビ等に好適に適用されるものである。すなわち、ｎ色（ｎは、３以上の整数を表す。）の原色を用いてサブピクセルを含む画素により画像が構成される液晶表示装置であって、該液晶表示装置は、上記表示装置におけるサブピクセルの駆動方式を有するものである液晶表示装置もまた、本発明の一つである。
本発明の表示装置及び液晶表示装置の構成としては、上述した特徴を必須として表示装置が通常有する構成要素を備えたものであればよく、その他の構成において特に限定されるものではない。
【発明の効果】
【００１４】
本発明の表示装置は、上述した構成からなるので、表示装置における開口率の低下を充分に抑制し、しかもドライバ数の増加を抑制することができ、特に多原色を用いた画像表示により色再現範囲を拡大するうえで優れた基本性能を発揮することができ、多原色表示装置として液晶テレビ等の各種のディスプレイに好適に適用することができるものである。
【発明を実施するための最良の形態】
【００１５】
以下に本発明を実施するための最良の形態として表示装置又は液晶表示装置に具現化させた例を掲げ、図面を参照して更に詳細に説明する。
本実施形態の表示装置は、ＡＢＣＤＥ（Ａ〜Ｅは、それぞれ異なる任意の色を表す。）の５色を用いた原色表示装置であるが、本発明はこれらの実施の形態のみに限定されるものではない。
【００１６】
（実施の形態１）
図１は、本発明の５原色表示装置を構成する画素の実施形態の一つであり、１画素が、ＡＢＣＤ又はＡＢＣＥの順にストライプ状に配置された４色のサブピクセルにより構成された形態である。この形態による表示装置は、５色（ｎ＝５）の原色を用いてサブピクセルを含む画素により画像が構成され、表示装置を構成する画素は、１画素あたり４色（（ｎ−１）個以下）のサブピクセルを含んで構成され、２色のサブピクセルが２個の画素に１個の割合で配置されたものである。
本実施形態では、各サブピクセルに対応してトランジスタが備えられており、その結果、５色の原色に対して１画素あたり４個の割合のトランジスタでサブピクセルを駆動する形態となっている。また、１画素あたり４本のソースバスラインによりトランジスタが構成される形態となっている。
【００１７】
本実施形態では、ＡＢＣＤの配列画素とＡＢＣＥの配列画素とが格子状（市松状）に縦横交互に配置されているが、このように、表示装置を構成する画素が１画素あたり（ｎ−１）個以下のサブピクセルを含んで構成される場合、異なったサブピクセルの配列の画素を格子状に配置することが好ましい。また、表示装置を構成する画素全体としてＡ〜Ｅのサブピクセルの面積を同じにするために、１画素中でのＤ又はＥのサブピクセルの幅を、Ａ、Ｂ及びＣのサブピクセルよりも広くしているが、特に限定されるものではない。
【００１８】
（実施の形態２）
図２は、本発明の５原色表示装置を構成する画素の実施形態の一つであり、１画素が、ＡＢＣの順にストライプ状に配置された３色のサブピクセルと、ＤＥの順に列方向（縦）に配置された２色のサブピクセルとにより構成された形態である。この形態による表示装置は、５色（ｎ＝５）の原色を用いてサブピクセルを含む画素により画像が構成され、表示装置を構成する画素は、１画素あたり４色（（ｎ−１）個以下）のサブピクセルを含んで構成され、２色のサブピクセルが他の画素に配置された同色のサブピクセルと共通のトランジスタにて駆動されるものである。
【００１９】
本実施形態では、列方向にＤＥの順に配置されたサブピクセルを含む画素が行方向（横）に同様に配置されており、１個のトランジスタにより列方向で隣り合った画素に配置された２個のサブピクセルＤを駆動し、同様に１個のトランジスタにより列方向で隣り合った画素に配置された２個のサブピクセルＥを駆動している。図中においては、例えば、サブピクセルＤに配置されたトランジスタからの配線が他のサブピクセルＤにつながっていることが示され、これにより１個のサブピクセルＤにトランジスタが１個配置され、そのトランジスタが隣合わせて配置された他の画素を構成する１個のサブピクセルＤも駆動することを模式的に示している。この場合も、５色の原色に対して１画素あたり４個の割合のトランジスタでサブピクセルを駆動する形態となっている。
本実施形態ではまた、サブピクセルＤ及びＥを駆動するトランジスタが共通のソースバスラインによって構成されており、１画素あたり４本のソースバスラインによりトランジスタが構成される形態となっている。このように、２色以上のサブピクセルが他の画素に配置された同色のサブピクセルと共通のトランジスタにて駆動される場合に、これらのサブピクセルを駆動するトランジスタを共通のソースバスラインで構成することが好適である。
【００２０】
本実施形態では、表示装置を構成する画素全体としてＡ〜Ｅのサブピクセルの面積を同じにするために、１画素中でのＤ及びＥのサブピクセルの幅を、Ａ、Ｂ及びＣのサブピクセルよりも広くしているが、特に限定されるものではない。
【００２１】
（実施の形態３）
図３は、本発明の５原色表示装置を構成する画素の実施形態の一つであり、１画素が、ＡＢＣの順にストライプ状に配置された３色のサブピクセルと、ＤＥ又はＥＤの順に列方向（縦）に配置された２色のサブピクセルとにより構成された形態である。この形態による表示装置も、５色（ｎ＝５）の原色を用いてサブピクセルを含む画素により画像が構成され、表示装置を構成する画素は、１画素あたり４色（（ｎ−１）個以下）のサブピクセルを含んで構成され、２色のサブピクセルが他の画素に配置された同色のサブピクセルと共通のトランジスタにて駆動されるものである。
本実施形態では、ＤＥの順に配置されたサブピクセルを含む画素と、ＥＤの順に配置されたサブピクセルを含む画素とが行方向（横）に交互に配置されており、１個のトランジスタにより列方向で隣り合った画素に配置された２個のサブピクセルＤを駆動し、同様に１個のトランジスタにより列方向で隣り合った画素に配置された２個のサブピクセルＥを駆動している。この場合も、５色の原色に対して１画素あたり４個の割合のトランジスタでサブピクセルを駆動する形態となっている。また、実施の形態２と同様に、サブピクセルＤ及びＥを駆動するトランジスタが共通のソースバスラインによって構成されており、１画素あたり４本のソースバスラインによりトランジスタが構成される形態となっている。
【００２２】
本実施形態においても、実施形態２と同様に、表示装置を構成する画素全体としてＡ〜Ｅのサブピクセルの面積を同じにするために、１画素中でのＤ及びＥのサブピクセルの幅を、Ａ、Ｂ及びＣのサブピクセルよりも広くしているが、特に限定されるものではない。
【００２３】
（実施の形態４）
図４は、本発明の５原色表示装置を構成する画素の実施形態の一つであり、１画素が、ＡＢＣＤＥの順にストライプ状に配置された５色のサブピクセルにより構成された形態である。この形態による表示装置は、５色（ｎ＝５）の原色を用いてサブピクセルを含む画素により画像が構成され、表示装置を構成する画素は、１画素あたり５色（ｎ＝５）のサブピクセルを含んで構成され、２色のサブピクセルが２つ以上の画素にわたって配置されるものである。
【００２４】
本実施形態では、各サブピクセルに対応してトランジスタが備えられており、サブピクセルＤ及びＥが２個以上の画素にわたって配置され、サブピクセルＤ及びＥの列方向（縦）の長さが他のサブピクセルＡ、Ｂ、Ｃの列方向の長さよりも長く、この場合、サブピクセルＤ及びＥの列方向の長さが他のサブピクセルＡ、Ｂ、Ｃの列方向の長さに対して２倍となっている。これにより、５色の原色に対して１画素あたり４個の割合のトランジスタでサブピクセルを駆動する形態となっている。
本実施形態ではまた、サブピクセルＤ及びＥを駆動するトランジスタが共通のソースバスラインによって構成されており、１画素あたり４本のソースバスラインによりトランジスタが構成される形態となっている。このように、２色以上のサブピクセルが２つ以上の画素にわたって配置される場合に、これらのサブピクセルを駆動するトランジスタを共通のソースバスラインで構成することが好適である。
【００２５】
なお、本実施形態のようにサブピクセルがストライプ状に配列される場合、２つ以上の画素にわたって配置される２色以上のサブピクセルの列方向の長さは、他のサブピクセルの列方向の長さよりも長く、１倍を超える長さとなればよいが、１画素あたり（ｎ−１）個以下の割合となるトランジスタにてサブピクセルを駆動する場合には、他のサブピクセルの列方向の長さに対して２倍以上とすればよい。
【００２６】
（実施の形態５）
図５は、本発明の５原色表示装置を構成する画素の実施形態の一つであり、１画素が、ＡＢＣＤＥの順にストライプ状に配置された５色のサブピクセルにより構成された形態である。この形態による表示装置も、５色（ｎ＝５）の原色を用いてサブピクセルを含む画素により画像が構成され、表示装置を構成する画素は、１画素あたり５色（ｎ＝５）のサブピクセルを含んで構成され、２色のサブピクセルが２つ以上の画素にわたって配置されるものである。
本実施形態では、２つ以上の画素にわたって配置される２色のサブピクセルであるＤ及びＥの他のサブピクセルＡ、Ｂ、Ｃに対する配置位置が実施の形態４とは異なるが、サブピクセルＤ及びＥの列方向の長さが他のサブピクセルＡ、Ｂ、Ｃの列方向の長さに対して２倍となっており、その結果、５色の原色に対して１画素あたり４個の割合のトランジスタでサブピクセルを駆動する形態となっていること等は実施の形態４と同様である。また、実施の形態４と同様に、サブピクセルＤ及びＥを駆動するトランジスタが共通のソースバスラインによって構成されており、１画素あたり４本のソースバスラインによりトランジスタが構成される形態となっている。
【００２７】
（実施の形態６）
図６は、本発明の５原色表示装置を構成する画素の実施形態の一つであり、１画素が、ＡＢＣの順にストライプ状に配置された３色のサブピクセルと、ＤＥ又はＥＤの順に鋸歯状に配置された２色のサブピクセルとにより構成された形態である。この形態による表示装置も、５色（ｎ＝５）の原色を用いてサブピクセルを含む画素により画像が構成され、表示装置を構成する画素は、１画素あたり５色（ｎ＝５）のサブピクセルを含んで構成され、２色のサブピクセルが２つ以上の画素にわたって配置されるものである。
本実施形態では、各サブピクセルに対応してトランジスタが備えられており、サブピクセルＤ及びＥがストライプ状に配置される場合にサブピクセルＤ及びＥの配置領域に相当する領域にサブピクセルＤ及びＥが２個以上の画素にわたって鋸歯状に配置され、これにより、５色の原色に対して１画素あたり４個の割合のトランジスタでサブピクセルを駆動する形態となっている。また、サブピクセルＤ及びＥを駆動するトランジスタが共通のソースバスラインによって構成されており、１画素あたり４本のソースバスラインによりトランジスタが構成される形態となっている。
本実施形態において、サブピクセル１個あたりの面積は、サブピクセルＡ、Ｂ、Ｃの２倍程度となっているが、特に限定されるものではない。
【００２８】
（実施の形態７）
図７は、本発明の５原色表示装置を構成する画素の実施形態の一つであり、１画素が、ＡＢＣＤ又はＡＢＣＥの順にストライプ状に配置された４色のサブピクセルにより構成された形態である。この形態による表示装置は、５色（ｎ＝５）の原色を用いてサブピクセルを含む画素により画像が構成され、表示装置を構成する画素は、１画素あたり４色（（ｎ−１）個以下）のサブピクセルを含んで構成され、２色（２色以上）のサブピクセルが２個（複数）の画素に１個の割合で配置されるとともに、２色（２色以上）のサブピクセルが２つ以上の画素にわたって配置されるものである。
本実施形態では、各サブピクセルに対応してトランジスタが備えられており、サブピクセルＤ及びＥが３個の画素に２個の割合で配置され、かつ、１個以上の画素にわたって配置され、サブピクセルＤ及びＥの列方向（縦）の長さが他のサブピクセルＡ、Ｂ、Ｃの列方向の長さよりも長く、この場合、サブピクセルＤ及びＥの列方向の長さが他のサブピクセルＡ、Ｂ、Ｃの列方向の長さに対して１．５倍となっている。これにより、５色の原色に対して１画素あたり３個以上４個以下（１１／３）の割合のトランジスタでサブピクセルを駆動する形態となっている。また、サブピクセルＤ及びＥを駆動するトランジスタが共通のソースバスラインによって構成されており、１画素あたり４本のソースバスラインによりトランジスタが構成される形態となっている。
【００２９】
実施形態１〜７の表示装置においては、Ｄ及びＥ以外のサブピクセル（例えば、Ｂ及びＣ）についてもＤ及びＥと同様にしてもよく、この場合、例えば実施の形態１〜６では、１画素あたり３個のトランジスタで駆動することが可能となる。
上記表示装置においてはまた、視覚上の表示品位の点から、Ｄ及びＥのサブピクセルとして、５原色のうちの色差（ΔＥａｂ）が最も小さい２色を選択することが好適である。
また１画素中のサブピクセルの配列に関し、図１〜７ではＤ及び／又はＥのサブピクセルを画素の末端に配置しているが特に限定されるものではなく、例えば、輝度値の高いサブピクセルを画素の中央領域に配置することが好ましい。更に、２種類以上の画素により構成される場合には、２種類以上の画素を交互に配置し、縦及び／又は横の隣り合わせに配置される画素が同じサブピクセルの配列とはならないように格子状に配置することによっても、表示品位を更に向上することが可能となる。
【００３０】
これらの形態の表示装置は、それぞれの表示性能における特色を考慮して用途に応じて選択することが好ましく、例えば、線を描くか、絵を描くか等によって適宜選択すればよい。
これらの形態の特色について一例を説明すると、例えば、Ｄ又はＥの色の横線を描く場合には、実施の形態２では実施の形態１よりも点線に見えにくくなり、一方、実施の形態１では、線の幅を太く見せることができる。実施の形態３によっても、実施の形態２よりも線の幅を太く見せることができる。実施の形態４及び５では、実施の形態１〜３の２倍以上の太い線を描くことができる。また実施の形態１、４〜５の表示装置は、各サブピクセルに対応してトランジスタが備えられる点で実施の形態２及び３よりも作製しやすいという利点を有する。
【００３１】
本実施形態の表示装置は、複数の画素により画像が構成され、多原色を用いて表示を行う表示装置であって、１つの画素が複数のサブピクセル（絵素）により構成されることになる多原色表示装置におけるカラー表示技術に広く適用することが可能であり、例えば、ｎ色のカラーフィルター又は発光素子によりサブピクセルが構成される表示装置において、本発明のサブピクセルの駆動方式を採用することが好適である。例えば、液晶テレビ等の液晶表示装置、ＰＤＰ、有機ＥＬ、ＦＥＤ等の各種のディスプレイに好適に適用することができ、液晶表示装置であれば、薄膜トランジスタ等のスイッチング素子を複数備えたアクティブマトリクス基板からなる液晶パネルを備えたディスプレイ等に適用することができる。なお、本実施形態の表示装置は、アクティブマトリクス駆動のディスプレイに適用可能であるが、トランジスタを用いてサブピクセルを駆動することになる限り特に限定されるものではない。
【図面の簡単な説明】
【００３２】
【図１】実施の形態１の５原色表示装置であり、１画素が、ＡＢＣＤ又はＡＢＣＥの順にストライプ状に配置された４色のサブピクセルにより構成された形態を示す概念図である。
【図２】実施の形態２の５原色表示装置であり、１画素が、ＡＢＣの順にストライプ状に配置された３色のサブピクセルと、ＤＥの順に列方向（縦）に配置された２色のサブピクセルとにより構成された形態を示す概念図である。
【図３】実施の形態３の５原色表示装置であり、１画素が、ＡＢＣの順にストライプ状に配置された３色のサブピクセルと、ＤＥ又はＥＤの順に列方向（縦）に配置された２色のサブピクセルとにより構成された形態を示す概念図である。
【図４】実施の形態４の５原色表示装置であり、１画素が、ＡＢＣＤＥの順にストライプ状に配置された５色のサブピクセルにより構成された形態を示す概念図である。
【図５】実施の形態５の５原色表示装置であり、１画素が、ＡＢＣの順にストライプ状に配置された３色のサブピクセルと、ＤＥ又はＥＤの順に鋸歯状に配置された２色のサブピクセルとにより構成された形態を示す概念図である。
【図６】実施の形態６の５原色表示装置であり、１画素が、ＡＢＣの順にストライプ状に配置された３色のサブピクセルと、ＤＥ又はＥＤの順に鋸歯状に配置された２色のサブピクセルとにより構成された形態を示す概念図である。
【図７】実施の形態７の５原色表示装置であり、１画素が、ＡＢＣＤ又はＡＢＣＥの順にストライプ状に配置された４色のサブピクセルにより構成された形態を示す概念図である。
【図８】従来の３原色（ＲＧＢ）表示装置を構成する画素形態であり、１つの画素を構成する３つのサブピクセルの配列を示す概念図である。
【図１】
2006064993.tif 000003
【図２】
2006064993.tif 000004
【図３】
2006064993.tif 000005
【図４】
2006064993.tif 000006
【図５】
2006064993.tif 000007
【図６】
2006064993.tif 000008
【図７】
2006064993.tif 000009
【図８】
2006064993.tif 000010